【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】  遊技者の操作にもとづいて遊技を行うとともに遊技者に有利となる特定遊技状態に移行可能な遊技機であって、
通常状態よりも前記特定遊技状態となり易い特別遊技状態に制御させる特別遊技状態制御手段と、
所定の数値範囲内で特定遊技判定用カウンタの値を更新する特定遊技判定用カウンタ更新手段と、
所定の条件が成立すると前記特定遊技判定用カウンタの値を抽出し、抽出値と判定値とを比較して、それらが一致すると前記特定遊技状態に移行させる特定遊技状態制御手段と、
前記特定遊技判定用カウンタの更新初期値を決定するための初期値決定用カウンタの値を更新する初期値決定用カウンタ更新手段と、を備え、
前記特別遊技状態制御手段は、前記所定の数値範囲を変更することなく、前記通常状態における前記判定値の数よりも前記特別遊技状態における前記判定値の数を増加させることにより前記特別遊技状態に制御し、
前記特定遊技判定用カウンタの所定周回毎に、抽出した前記初期値決定用カウンタの値を前記特定遊技判定用カウンタに初期値として設定する初期値更新手段を更に備えた
ことを特徴とする遊技機。
【請求項２】  定期的な信号にもとづいて定期処理を行うとともに、当該定期処理の終了後、次の定期処理が行われるまでの期間に繰り返し所定の処理を行うものであり、
初期値決定用カウンタ更新手段は、初期値決定用カウンタの値を前記所定の処理で更新する
請求項１記載の遊技機。
【請求項３】  初期値決定用カウンタの値が抽出される条件となる特定遊技判定用カウンタの所定値を決定するための数値決定手段を備えた
請求項１または請求項２記載の遊技機。
【請求項４】  定期的な信号にもとづいて定期処理を行うとともに、当該定期処理の終了後、次の定期処理が行われるまでの期間に繰り返し所定の処理を行うものであり、
数値決定手段は、所定値を決定するための数値を前記所定の処理で更新する
請求項３記載の遊技機。
【請求項５】  特定遊技判定用カウンタに初期値が設定される条件となる所定周回を決定するための初期設定タイミング決定手段を備えた
請求項１ないし請求項４記載の遊技機。
【請求項６】  定期的な信号にもとづいて定期処理を行うとともに、当該定期処理の終了後、次の定期処理が行われるまでの期間に繰り返し所定の処理を行うものであり、
初期設定タイミング決定手段は、所定周回を決定するための数値を前記所定の処理で更新する
請求項５記載の遊技機。
【請求項７】  初期値決定用カウンタの値が抽出される条件となる特定遊技判定用カウンタの所定値は、電源投入時に、特定遊技判定用カウンタのカウント範囲内の値に設定される
請求項１ないし請求項６記載の遊技機。
【請求項８】  特定遊技判定用カウンタがとりうる数値範囲と初期値決定用カウンタがとりうる数値範囲とは同じである
請求項１ないし請求項７記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者の操作にもとづいて遊技を行うとともに遊技者に有利となる特定遊技状態に移行可能な遊技機であって、通常状態よりも特定遊技状態となり易い特別遊技状態に制御させる特別遊技状態制御手段と、所定の数値範囲内で特定遊技判定用カウンタの値を更新する特定遊技判定用カウンタ更新手段と、所定の条件が成立すると特定遊技判定用カウンタの値を抽出し、抽出値と判定値とを比較して、それらが一致すると特定遊技状態に移行させる特定遊技状態制御手段と、特定遊技判定用カウンタの更新初期値を決定するための初期値決定用カウンタの値を更新する初期値決定用カウンタ更新手段と、を備え、特別遊技状態制御手段は、所定の数値範囲を変更することなく、通常状態における判定値の数よりも特別遊技状態における判定値の数を増加させることにより特別遊技状態に制御し、特定遊技判定用カウンタの所定周回毎に、抽出した初期値決定用カウンタの値を特定遊技判定用カウンタに初期値として設定する初期値更新手段を更に備えたものである。
【手続補正３】
【補正対象書類名】明細書
【補正対象項目名】００１１
【補正方法】変更
【補正の内容】
【００１１】
定期的な信号にもとづいて定期処理を行うとともに、当該定期処理の終了後、次の定期処理が行われるまでの期間に繰り返し所定の処理を行うものであり、初期値決定用カウンタ更新手段は、初期値決定用カウンタの値を所定の処理で更新するように構成されていてもよい。
【手続補正４】
【補正対象書類名】明細書
【補正対象項目名】００１３
【補正方法】変更
【補正の内容】
【００１３】
定期的な信号にもとづいて定期処理を行うとともに、当該定期処理の終了後、次の定期処理が行われるまでの期間に繰り返し所定の処理を行うものであり、数値決定手段は、所定値を決定するための数値を所定の処理で更新するように構成されていてもよい。
【手続補正５】
【補正対象書類名】明細書
【補正対象項目名】００１５
【補正方法】変更
【補正の内容】
【００１５】
定期的な信号にもとづいて定期処理を行うとともに、当該定期処理の終了後、次の定期処理が行われるまでの期間に繰り返し所定の処理を行うものであり、初期設定タイミング決定手段は、所定周回を決定するための数値を所定の処理で更新するように構成されていてもよい。
【手続補正６】
【補正対象書類名】明細書
【補正対象項目名】０１３１
【補正方法】変更
【補正の内容】
【０１３１】
【発明の効果】
以上のように、本発明によれば、遊技機を、特定遊技判定用カウンタの所定周回毎に、抽出した初期値決定用カウンタの値を特定遊技判定用カウンタに初期値として設定するように構成したので、所定の起動タイミングに同期して遊技制御手段から出力される各種信号を観測しても、特定遊技判定用の数値が判定値と一致するタイミングを推測することはできなくなり、その結果、外部から大当りを不正に発生させるための信号を与えることができなくなって、不正遊技行為を効果的に防止できる効果がある。
【手続補正７】
【補正対象書類名】明細書
【補正対象項目名】０１３２
【補正方法】変更
【補正の内容】
【０１３２】
定期処理の終了後から次の定期処理が行われるまでの期間に繰り返し実行される所定の処理で初期値決定用カウンタの値が更新されるように構成されている場合には、初期値決定用カウンタの値のランダム性が増すので、特定遊技判定用の数値が判定値と一致するタイミングを外部で推測することがより困難になる効果がある。
【手続補正８】
【補正対象書類名】明細書
【補正対象項目名】０１３４
【補正方法】変更
【補正の内容】
【０１３４】
定期処理の終了後から次の定期処理が行われるまでの期間に繰り返し実行される所定の処理で、初期値決定用カウンタの値が抽出される条件となる特定遊技判定用カウンタの所定値を決定するための数値が更新されるように構成されている場合には、更新用初期値の抽出タイミングのランダム性が増すことによって、特定遊技判定用の数値が判定値と一致するタイミングを外部で推測することがより困難になる効果がある。
【手続補正９】
【補正対象書類名】明細書
【補正対象項目名】０１３６
【補正方法】変更
【補正の内容】
【０１３６】
定期処理の終了後から次の定期処理が行われるまでの期間に繰り返し実行される所定の処理で所定周回を決定するための数値が更新されるように構成されている場合には、初期値設定タイミングのばらつきがより大きくなって、特定遊技判定用の数値が判定値と一致するタイミングを外部で推測することが一層困難になる効果がある。